(57)【要約】【課題】  インターネット電話のシステム及びその方法の提供。【解決手段】  ソフトウエアをメインとするネットワーク電話（Ｗｅｂ  Ｃａｌｌ）構造にあって、システムユーザーはＷｉｎｄｏｗｓ（登録商標）９８以上のオペレーションシステム（ＭＳ  Ｉｎｔｅｒｎｅｔ  Ｅｘｐｌｏｒｅｒを含む）を具えると共にフルデュアルサウンドカード、ディスプレイインタフェース及びネットワーク機能を具えたコンピュータを保有するだけで、ＧＴＤ  Ｗｅｂ８００ホームページへの直接ログイン、ユーザーナンバー自動割り当て機能、ＧＴＤ自動ジャンプの機能を具備できるようにするシステム及び方法に関する。【選択図】        図１
2005322975.tif 000002
【特許請求の範囲】
【請求項１】
インターネット電話のシステムにおいて、該システムのインターネット電話（Ｗｅｂ
Ｃａｌｌ）構造は、ＧＴＤ（Ｇｌｏｂａｌ  Ｔｅｌｅｐｈｏｎｅ  Ｄｉｒｅｃｔｏｒｙ）と称され、ＧＴＤはホームページ上のＡｃｔｉｖｅ  Ｘデバイスとされ、インターネット音声通信方面に用いられ、該システムは、
オペレーションシステムを搭載すると共に、デュアルサウンドカード、ディスプレイインタフェース及びネットワーク機能を具備するコンピュータと、
コンピュータに接続されてホームページ閲覧に供され、コンピュータがＧＴＤデバイスをインストールしているかを検査し、コンピュータに対して自動ナンバー割り当て機能とダイアルナンバー指定を行なうＧＴＤデバイスを具えたホームページと、
コンピュータに接続されて指定ダイアルにダイアル開始し、ダイアル応答状態の後に通話を行なえる既にＧＴＤが指定するＴＡＸＩネットワーク電話システムにログインしたユーザーコンピュータと、
を具えたことを特徴とする、インターネット電話のシステム。
【請求項２】
請求項１記載のインターネット電話のシステムにおいて、オペレーションシステムを具えたコンピュータはブラウザソフトを具えたことを特徴とする、インターネット電話のシステム。
【請求項３】
請求項１記載のインターネット電話のシステムにおいて、ハードウエア設定を必要とせず、自動ナンバー割り当て区間、自動ジャンプナンバー、及びＧＴＤ放置アドレスを指定するだけで、デバイスと関係ホームページ記述言語文献が一緒に放置されることを特徴とする、インターネット電話のシステム。
【発明の詳細な説明】
【技術分野】
【０００１】
本発明は一種のインターネット電話のシステム及びその方法に係り、特にコンピュータホームページ上でのネットワーク音声通信伝送に用いられるシステムであり、このシステムはホームページログイン、自動ナンバー割り当て、自動ジャンプ等の機能を有し、システム取り付け上、複雑なハードウエア設備を必要とせず、自動ナンバー割り当て区間と自動ジャンプナンバーの指定とシステムの置かれるネットワークアドレスを指定により、システムと関係ホームページ記述言語文献を一緒に放置することができるシステム及び方法に関する。
【背景技術】
【０００２】
インターネットが勃興発展し、インターネット電話も不断に改良されいるが、現在市販されているインターネット電話は、システム取り付け上、相当に困難であり、コストが高過ぎ、且つシステムユーザーが使用する上での移動性が高くなく、今だ普及していない。
【発明の開示】
【発明が解決しようとする課題】
【０００３】
本発明は従来のインターネット電話のシステム及びその方法を改善し、産業上の利用価値を有するものなすことを課題としている。即ち、本発明は一種のインターネット電話のシステム及びその方法を提供することを目的とし、それは、システムユーザーがＷｉｎｄｏｗｓ（登録商標）９８以上のオペレーションシステム（ＭＳ  Ｉｎｔｅｒｎｅｔ  Ｅｘｐｌｏｒｅｒを含む）を具えると共にフルデュアルサウンドカード、ディスプレイインタフェース及びネットワーク機能を具えたコンピュータを保有するだけで、ＧＴＤ  Ｗｅｂ８００ホームページへの直接ログイン、ユーザーナンバー自動割り当て機能、ＧＴＤ自動ジャンプの機能を具備できるようにするものである。システム取り付け上、複雑なハードウエア設定が不要であり、ただ自動配線区間、自動ジャンプナンバー及びＧＴＤが置かれるアドレスを指定し、このシステムと関係ホームページ記述言語文献を一緒に放置できる。
【課題を解決するための手段】
【０００４】
請求項１の発明は、インターネット電話のシステムにおいて、該システムのインターネット電話（Ｗｅｂ  Ｃａｌｌ）構造は、ＧＴＤ（Ｇｌｏｂａｌ  Ｔｅｌｅｐｈｏｎｅ  Ｄｉｒｅｃｔｏｒｙ）と称され、ＧＴＤはホームページ上のＡｃｔｉｖｅ  Ｘデバイスとされ、インターネット音声通信方面に用いられ、該システムは、
オペレーションシステムを搭載すると共に、デュアルサウンドカード、ディスプレイインタフェース及びネットワーク機能を具備するコンピュータと、
コンピュータに接続されてホームページ閲覧に供され、コンピュータがＧＴＤデバイスをインストールしているかを検査し、コンピュータに対して自動ナンバー割り当て機能とダイアルナンバー指定を行なうＧＴＤデバイスを具えたホームページと、
コンピュータに接続されて指定ダイアルにダイアル開始し、ダイアル応答状態の後に通話を行なえる既にＧＴＤが指定するＴＡＸＩネットワーク電話システムにログインしたユーザーコンピュータと、
を具えたことを特徴とする、インターネット電話のシステムとしている。
請求項２の発明は、請求項１記載のインターネット電話のシステムにおいて、オペレーションシステムを具えたコンピュータはブラウザソフトを具えたことを特徴とする、インターネット電話のシステムとしている。
請求項３の発明は、請求項１記載のインターネット電話のシステムにおいて、ハードウエア設定を必要とせず、自動ナンバー割り当て区間、自動ジャンプナンバー、及びＧＴＤ放置アドレスを指定するだけで、デバイスと関係ホームページ記述言語文献が一緒に放置されることを特徴とする、インターネット電話のシステムとしている。
【発明の効果】
【０００５】
本発明はインターネット電話のシステム及びその方法を提供し、それは、ソフトウエアをメインとするネットワーク電話（Ｗｅｂ  Ｃａｌｌ）構造にあって、システムユーザーはＷｉｎｄｏｗｓ（登録商標）９８以上のオペレーションシステム（ＭＳ  Ｉｎｔｅｒｎｅｔ  Ｅｘｐｌｏｒｅｒを含む）を具えると共にフルデュアルサウンドカード、ディスプレイインタフェース及びネットワーク機能を具えたコンピュータを保有するだけで、ＧＴＤ  Ｗｅｂ８００ホームページへの直接ログイン、ユーザーナンバー自動割り当て機能、ＧＴＤ自動ジャンプの機能を具備できるようにする。
【発明を実施するための最良の形態】
【０００６】
本発明が研究開発するインターネット電話（Ｗｅｂ  Ｃａｌｌ）構造は、ＧＴＤ（Ｇｌｏｂａｌ  Ｔｅｌｅｐｈｏｎｅ  Ｄｉｒｅｃｔｏｒｙ）と称され、ＧＴＤはホームページ上のＡｃｔｉｖｅ  Ｘデバイスとされ、インターネット音声通信方面に用いられる。
【０００７】
図１は本発明のシステムのブロック図である。本システム１００は、コンピュータ１１０、ＧＴＤデバイスを具えたホームページ１２０、及び既にＧＴＤ指定ＴＡＸＩネットワーク電話システムにログインしたユーザーコンピュータ１３０を含む。該コンピュータはＷｉｎｄｏｗｓ（登録商標）９８以上のオペレーションシステムを搭載し、それはＭＳ
Ｉｎｔｅｒｎｅｔ  Ｅｘｐｌｏｒｅｒも搭載し、該コンピュータ１１０はデュアルサウンドカード１０２、ディスプレイインタフェース１０４及びネットワーク機能を具備している。  図２は本発明のＧＴＤシステムのフローチャートである。
１．ユーザーは任意にネットワーク上でサウンドカードとディスプレイフレームを具えたコンピュータ１１０とＧＴＤデバイスを具えたホームページ間でホームページを閲覧する２０１。
２．該コンピュータ１１０がＧＴＤデバイスをインストールしているかを検査する２１１。
（１）ＧＴＤデバイスをインストールしていなければ、自動インストール後に起動する。
（２）ＧＴＤデバイスを既にインストールしていれば、自動起動する。
３．ユーザーがＧＴＤデバイスを具えたホームページ１２０上で通話部分をクリックする２２１。
４．システムの自動ナンバー割り当て機能が起動しダイアルプロセスを実行し、並びにダイアル番号を指定する２３１。
５．ユーザーが指定番号にダイアル開始する２４１。
６．ＧＴＤ指定ＴＡＸＩネットワーク電話システムのユーザーコンピュータにログイン１３０し、並びにダイアル応答状態となる２５１。
７．通話する２６１。
【０００８】
以上に紹介された本考案のシステムは、以下の三大機能を具えている。
１．ＧＴＤ  Ｗｅｂ８００ホームページへの直接ログインする機能：
ユーザーはＷｉｎｄｏｗｓ（登録商標）９８以上のオペレーションシステム（ＭＳ
Ｉｎｔｅｒｎｅｔ  Ｅｘｐｌｏｒｅｒを含む）を搭載し、フルデュアルサウンドカード、ディスプレイインタフェース及びネットワーク機能を具えたコンピュータさえあれば、ＭＳ  Ｉｎｔｅｒｎｅｔ  Ｅｘｐｌｏｒｅｒを通してネットワーク音声通信機能を使用でき、特別なソフトウエアをインストールする必要はない。
２．ユーザー自動ナンバー割り当て機能：
ユーザーがＧＴＤホームページ上のボタンをクリックすると、システムが一組の通信識別コードを臨時の通話識別コードとして自動配給する。通話終了後に、システムはこの通話識別コードを回収する。
３．ＧＴＤ自動ジャンプ機能：
ユーザーがＧＴＤホームページ上のボタンをクリックすると、システムが指定通話グループに順にダイアルし、先の順位がオフライン或いはビジーであれば、次の指定識別コードにジャンプする。
【０００９】
総合すると、本考案のインターネット電話のシステム及びその方法は徹底的に既存のインターネット電話（Ｗｅｂ  Ｃａｌｌ）の欠点を解決し、ＧＴＤの具備するホームページログイン、自動ナンバー割り当て及び自動ジャンプの機能を提供する。システムインストール上も、煩瑣なハードウエア設定が不要で、ただ自動ナンバー割り当て区間を指定し、自動ジャンプナンバーとＧＴＤ放置アドレスを指定するだけで、このデバイスと関係するホームページ記述言語文献を一緒に放置して以上の機能を提供できる。これにより産業上の利用価値を有する。
【図面の簡単な説明】
【００１０】
【図１】本発明のブロック図である。
【図２】本発明のシステム簡易フローチャートである。
【符号の説明】
【００１１】
１００  システム      １１０  コンピュータ        １０２  サウンドカード
１０４  ディスプレイインタフェース                １２０  ホームページ
１３０  ユーザーコンピュータ
２０１  ホームページ閲覧。
２１１  ＧＴＤデバイスをインストールしているかを検査し、インストールしていなければ自動インストール後に起動し、インストールしていれば自動起動する。
２２１  通話部分クリック。
２３１  システムが自動ナンバー割り当て機能が起動しダイアルナンバーを指定する。
２４１  指定ナンバーにダイアル開始する。
２５１  ダイアル応答状態。
２６１  通話。
【図１】
2005322975.tif 000003
【図２】
2005322975.tif 000004